(57)【要約】【課題】施工コストの削減を図りつつ、河川において発生する土石流や流木等の河川下流への流出を効果的に防止する。【解決手段】河川１０の川幅方向両岸に形成されているコンクリート製の袖部２間に配設され、川幅方向へ所定間隔で立設された鋼管支柱と、川幅方向両岸に形成されている袖部に両端が埋設され、鋼管支柱と交差しつつ袖部２間に架設される鋼管梁１３、１４と、鋼管支柱から上下に間隔をおいて川幅方向へ分枝延長され、鋼管支柱並びに鋼管梁１３、１４よりも細径化された分枝鋼管３２、４２とを備える。【選択図】図１
2008266981.tif 000002
【特許請求の範囲】
【請求項１】
河川の川幅方向に形成されている土木構造物体間に配設される鋼製スリットダムにおいて、
上記川幅方向へ立設された鋼管支柱と、
上記袖部に両端が埋設され、上記鋼管支柱と交差しつつ上記袖部間に架設される鋼管梁と、
上記鋼管支柱から上記川幅方向へ分枝延長され、上記鋼管支柱並びに上記鋼管梁よりも細径化された分枝鋼管とを備えること
を特徴とする鋼製スリットダム。
【請求項２】
上記分枝鋼管は、上記鋼管支柱の直径の１／２〜３／４程度の直径で構成されていること
を特徴とする請求項１記載の鋼製スリットダム。
【請求項３】
鉛直鋼管と、この鉛直鋼管から川幅方向へ向けて両側に分枝された細径で構成される分枝鋼管を有する鋼管ユニットを上記鋼管梁を介して上下方向に連結することにより構成され、互いに上記川幅方向に隣接する鋼管ユニットから分枝延長されてきている上記分枝鋼管は互いに上記川幅方向に離間されてなること
を特徴とする請求項１又は２記載の鋼製スリットダム。
【請求項４】
上記鋼管梁から下流側へ向けて延長された接ぎ鋼管と、
上記接ぎ材に接続され、上記袖部間に上記川幅方向へ向けて架設される補強鋼管梁とを更に備えること
を特徴とする請求項１〜３のうち何れか1項記載の鋼製スリットダム。
【発明の詳細な説明】
【技術分野】
【０００１】
本発明は、河川の土石流対策用或いは流木対策用等に好適な鋼製スリットダムに関するものである。
【背景技術】
【０００２】
従来、土石流発生時に巨礫、流木や多量の土砂を捕捉して河川下流への流出を防止可能な透過型砂防堰堤が提案されている（例えば、特許文献１参照。）。この特許文献１の開示技術では、土砂調節機能を保持しながら、土石流発生時に捕捉した礫や土砂の再流出を防ぐ観点から案出されたものであり、河川の縦断方向と、河川の横断方向とに棒状部材を架設して構成したフレームを河床に設置してなる。
【０００３】
しかしながら、この特許文献１の開示技術は、河川の縦断方向に棒状部材を架設しなければならないところ、部材のコストが上昇してしまい、施工労力も増加することから施工費用の増大が著しくなる。また、この特許文献１の開示技術では、河川の縦断、横断方向にそれぞれ棒状部材を設けることにより立体的な構造としていることから、格子状に囲まれた立体内部に土砂等が入り混むと、これを立体外部へ取り出し、除去することが困難になる。
【０００４】
また、河川の川幅方向両岸に形成されているコンクリート製の袖部間に梁材を架設した鋼製スリットダムも提案されている（例えば、特許文献２参照。）。この特許文献２の開示技術では、両川岸に設置した堤体と、当該堤体と連結し両堤体間を川幅方向に渡した桁と、当該桁と川底位置の基礎部とに連結し、所要の川幅方向間隔で鉛直部材を柱状に配置することにより、柱列式の鋼製スリットダム構造を構成している。即ち、このスリットダム構造では、構造の可及的な簡易化、堅牢化、製作コストの低減化を図ることが可能となる。
【０００５】
従来、この柱列式のスリットダム構造では、鉛直部材の支点間長さが長く、土石流の衝撃力吸収性能が劣るという欠点があり、これを補うためこの特許文献２の開示技術では、鉛直部材の中間部に水平桁部材を配置する構造が提案されている。しかしながら、係る構成では、衝撃を受け止めるために、鉛直部材下部の基礎部と、袖部に架設した上部の梁部のみで対応しなければならないことから、衝撃力を十分に受け止めることが困難であることから、鋼管部材の径を大きくとるか、或いは鋼管部材の板厚を厚く構成する必要性があった。また、巨礫以外の比較的小さな礫を受け止めようとするためには鉛直部材の間隔を狭くする必要があるところ、部材数を増加させる必要性が生じ、製作、設置コストが上昇してしまうという問題点があった。
【０００６】
さらに、このような鋼製スリットダムの例としては、例えば特許文献３に示すようなオープン型鋼製砂防堰堤が提案されている。この特許文献３の開示技術では、鋼製砂防ユニットの相互間の間隔をあけた部位に、同間隔部分を遮るように張出部が形成されている。
【０００７】
しかし、この張出部は、あくまで鋼製砂防ユニット間の間隙を埋めるために設けられるものであり、鋼製支柱等とほぼ同一の径からなる鋼管が用いられている。この張出部を鋼製支柱等とほぼ同一の径で構成するということは、これを太い径で構成するということを意味するものであるが、その分において施工コストが増大してしまうという問題点があった。
【特許文献１】特開平７−８２７２５号公報
【特許文献２】特開２００２−１２１７２８号公報
【特許文献３】特開平１１−２８６９２２号公報
【発明の開示】
【発明が解決しようとする課題】
【０００８】
そこで、本発明は、上述した問題点に鑑みて案出されたものであり、その目的とするところは、施工コストの削減を図りつつ、河川において発生する土石流や流木等の河川下流への流出を効果的に防止可能な鋼製スリットダムを提供することにある。
【課題を解決するための手段】
【０００９】
本願請求項１に係る発明は、河川の川幅方向に形成されている土木構造物体間に配設される鋼製スリットダムにおいて、上記川幅方向へ立設された鋼管支柱と、上記袖部に両端が埋設され、上記鋼管支柱と交差しつつ上記袖部間に架設される鋼管梁と、上記鋼管支柱から上記川幅方向へ分枝延長され、上記鋼管支柱並びに上記鋼管梁よりも細径化された分枝鋼管とを備えることを特徴とする。
【００１０】
また、本願請求項２に係る発明は、請求項１に記載の発明において、上記分枝鋼管は、上記鋼管支柱の直径の１／２〜３／４程度の直径で構成されていることを特徴とする。
【００１１】
また、本願請求項３に係る発明は、請求項１又は２記載の発明において、鉛直鋼管と、この鉛直鋼管から川幅方向へ向けて両側に分枝された細径で構成される分枝鋼管を有する鋼管ユニットを上記鋼管梁を介して上下方向に連結することにより構成され、互いに上記川幅方向に隣接する鋼管ユニットから分枝延長されてきている上記分枝鋼管は互いに上記川幅方向に離間されてなることを特徴とする。
【００１２】
また、本願請求項４に係る発明は、請求項１〜３のうち何れか1項記載の発明において、上記鋼管梁から下流側へ向けて延長された接ぎ鋼管と、上記接ぎ材に接続され、上記袖部間に上記川幅方向へ向けて架設される補強鋼管梁とを更に備えることを特徴とする。
【発明の効果】
【００１３】
巨礫や流木がこの河川１０に流れ込んできたときに、鋼管梁１３、鋼管梁１４や、鉛直鋼管３１、４１からなる鋼管支柱を介してこれを受け止めることができる。
【００１４】
鋼管梁１３、１４は、その両端が第１の埋設鋼管１１並びに第２の埋設鋼管１２へと接続されており、しかもこれら第１の埋設鋼管１１並びに第２の埋設鋼管１２は、袖部２に埋設されている。このため、鋼管梁１３、１４に対して加わった巨礫による衝突力は、第１の埋設鋼管１１並びに第２の埋設鋼管１２を介してコンクリート製の袖部２で受け持つことができることから、その分において柱材を減らすことができ、施工コストを減少させることが可能となる。
【００１５】
また、鋼管梁１３、鋼管梁１４並びに鉛直鋼管３１、４１は、細径の分枝鋼管３２、４２よりも太径であることから、上流方向から流れてきた巨礫は、最初にこの鋼管梁１３、鋼管梁１４並びに鉛直鋼管３１、４１に衝突することになり、分枝鋼管３２、４２に対して衝撃抵抗も加わることが無くなる。
【００１６】
また、小さい礫は、鋼管梁１３、鋼管梁１４並びに鉛直鋼管３１、４１に加えて、更に分枝鋼管３２、４２により受け止めることが可能となる。即ち、この分枝鋼管３２、４２を設けることにより、鋼管で構成される格子の目の面積を小さくすることができ、小さな礫をこの小さな格子の目を介して捉えることが可能となる。しかも小さな礫は、巨礫と比較して大きな衝撃が加わることも無く、これを受け止める上で大きな強度が必要とならないことから、特にこの分枝鋼管３２、４２は細径で構成されていても問題はない。また、この分枝鋼管３２、４２を特に細径で構成することにより製造コスト、材料コストを下げることができ、しかも互いに川幅方向に隣接する鋼管ユニット１５から分枝延長されてくる分枝鋼管３２を互いに離間させて構成していることから、これらの接合に伴う施工工程を省略することができ、施工コスト全体を低減させることが可能となる。
【発明を実施するための最良の形態】
【００１７】
以下、本発明を実施するための最良の形態として、河川等に適用される鋼製スリットダムについて、図面を参照しながら詳細に説明する。
【００１８】
本発明を適用した鋼製スリットダムは、例えば図１に示すような河川１０に適用されるものである。この河川１０は、両岸にコンクリート製の袖部２が形成され、また、川底にはコンクリート基礎３が形成されてなるものであり、この袖部２並びにコンクリート基礎３で囲まれることにより形成された流路を水が上流から下流にかけて流れていくものである。
【００１９】
本発明を適用した鋼製スリットダム１は、両岸の各袖部２にそれぞれ埋設されている第１の埋設鋼管１１並びに第２の埋設鋼管１２と、コンクリート基礎３に対して埋設されている第３の埋設鋼管１７と、両岸の各袖部２に埋設された第１の埋設鋼管１１の間に架設されている鋼管梁１３と、両岸の各袖部２に埋設された第２の埋設鋼管１２の間に架設されている鋼管梁１４と、鋼管梁１３と鋼管梁１４との間に設けられた鋼管ユニット１５と、鋼管梁１４と第３の埋設鋼管１７との間に設けられた鋼管ユニット１６とを備えている。
【００２０】
図２は、鋼製スリットダム１の正面図を示している。第１の埋設鋼管１１には、その先端にフランジが、また第２の埋設鋼管１２には、その先端にフランジが取り付けられている。このフランジの形状は、いかなるもので構成されていてもよいが、以下の説明においては、これが円盤形で構成されている場合を例にとり説明をする。ちなみに、このフランジは、埋設鋼管１１、１２以外の他の第３の埋設鋼管１７、鋼管梁１３、鋼管梁１４、鋼管ユニット１５、鋼管ユニット１６の端部において同様に形成されていてもよい。また、これらフランジの接合方法は従来のいかなる方法を適用するようにしてもよい。また、この埋設鋼管１１，１２の先端には、これらフランジが形成されていることは必須とならず、フランジ接続以外に溶接で接合されていてもよいことは勿論である。
【００２１】
また、鋼管梁１３には、下側に向けて分枝した鉛直鋼管２５が所定の間隔をおいて設けられている。即ち、この鉛直梁１３には鉛直鋼管２５がＴ字状に交差するように設けられている。
【００２２】
鋼管梁１４には、上側に向けて分枝した鉛直鋼管３５が所定の間隔をおいて設けられている。この鋼管梁１４には、下側に向けて分枝した鉛直鋼管３７が所定の間隔をおいて設けられている。即ち、この鉛直梁１４には鉛直鋼管３５、３７が十字状に交差するように設けられている。
【００２３】
鋼管ユニット１５は、太径で構成される鉛直鋼管３１と、この鉛直鋼管３１から川幅方向へ向けて両側に分枝された細径で構成される分枝鋼管３２とを備えた、略十字状の形状からなる。
【００２４】
鋼管ユニット１６は、太径で構成される鉛直鋼管４１と、この鉛直鋼管４１から川幅方向へ向けて両側に分枝された細径で構成される分枝鋼管４２とを備えた、略十字状の形状からなる。
【００２５】
この鋼管ユニット１５、１６は、少なくとも１列に亘って形成されていればよい。
【００２６】
次に、上述の如き構成からなる鋼製スリットダム１の施工方法について説明をする。
【００２７】
先ず、鋼製スリットダム１を構成する、第１の埋設鋼管１１、第２の埋設鋼管１２、第３の埋設鋼管１７、鋼管梁１３、鋼管梁１４、鋼管ユニット１５、鋼管ユニット１６をそれぞれ工場等において作製し、これを施工現場となる河川へと搬送する。本発明では、このように各構成部品を細かく分割していることから、これを工場で作製して現場へと搬送する際の労力の負担を軽減させることができる。
【００２８】
次に、コンクリート基礎３に第３の埋設鋼管１７を埋設する。また、袖部２に第１の埋設鋼管１１並びに第２の埋設鋼管１２を埋設する。
【００２９】
次に、鋼管梁１３の配設を行う。具体的には、第１の埋設鋼管１１の先端に設けられたフランジに、鋼管梁１３の川幅方向両端に形成させてなるフランジを当接させ、これらをボルト等で接合していくことになる。鋼管梁１４も同様に、第２の埋設鋼管１２の先端に設けられたフランジに、鋼管梁１４の川幅方向両端に形成させてなるフランジを当接させ、これらをボルト等で接合する。
【００３０】
次に鋼管ユニット１５の接合を行う。この鋼管ユニット１５は、その鉛直鋼管３１の上端を鋼管梁１３における鉛直鋼管２５とを互いに当接させて接合する。また、この鋼管ユニット１５の鉛直鋼管３１の下端を鋼管梁１４の鉛直鋼管３５とを互いに当接させて接合する。
【００３１】
次に鋼管ユニット１６の接合を行う。この鋼管ユニット１６は、その鉛直鋼管４１の上端を鋼管梁１４における鉛直鋼管３７と接合する。また、この鋼管ユニット１６の鉛直鋼管４１の下端と第３の埋設鋼管１７の上端とを互いに接合する。これにより、上述の如き構成からなる鋼製スリットダム１が完成することになる。このとき、互いに川幅方向に隣接する鋼管ユニット１５から分枝延長されてくる分枝鋼管３２は互いに接合されることなく、川幅方向に離間されていることとしているが、これらが互いに接合されていてもよいことは勿論である。即ち、これら各ユニットの組立てが完了することにより、鉛直鋼管３１、４１が鋼管梁１４を介して上下方向に連結することにより構成されたいわゆる鋼管支柱が形成されることになる。
【００３２】
次に、上述した構成からなる構成スリットダム１の作用効果について説明をする。巨礫や流木がこの河川１０に流れ込んできたときに、主として鋼管梁１３、鋼管梁１４や、鉛直鋼管３１、４１を介してこれを受け止めることができる。即ち、この鋼管梁１３、鋼管梁１４や、鉛直鋼管３１、４１は、このような巨礫等を受け止めるだけの強度を備えておく必要があることから、その径は太くする必要があり、望ましくは鋼管梁１３、鋼管梁１４の径は５００ｍｍ、鉛直鋼管３１、４１の径は４００ｍｍで構成されているものとする。特にこの巨礫を受け止める際には大きな衝撃力が加わることになるが、この衝撃抵抗に対抗するためにも、鋼管梁１３等の径を太くしておく必要がある。なお、この鋼管梁１３、鋼管梁１４並びに鉛直鋼管３１、４１の配置間隔は比較的広めに設定されているが、小さな礫は受け止める必要は無く、あくまで巨礫のみに焦点を当てて受け止めることができれば本発明の所期の効果を実現することができる。
【００３３】
また、鋼管梁１３、鋼管梁１４並びに鉛直鋼管３１、４１は、細径の分枝鋼管３２、４２よりも太径であることから、上流方向から流れてきた巨礫は、最初にこの鋼管梁１３、鋼管梁１４並びに鉛直鋼管３１、４１に衝突することになり、分枝鋼管３２、４２に対して衝撃抵抗も加わることが無くなる。
【００３４】
更に、鋼管梁１３、１４は、その両端が第１の埋設鋼管１１並びに第２の埋設鋼管１２へと接続されており、しかもこれら第１の埋設鋼管１１並びに第２の埋設鋼管１２は、袖部２に埋設されている。このため、鋼管梁１３、１４に対して加わった巨礫による衝突力は、第１の埋設鋼管１１並びに第２の埋設鋼管１２を介してコンクリート製の袖部２で受け持つことができることから、その分において柱材を減らすことができ、施工コストを減少させることが可能となる。
【００３５】
また、小さい礫は、鋼管梁１３、鋼管梁１４並びに鉛直鋼管３１、４１に加えて、更に分枝鋼管３２、４２により受け止めていくことになる。即ち、この分枝鋼管３２、４２を設けることにより、鋼管で構成される格子の目の面積を小さくすることができ、小さな礫をこの小さな格子の目を介して捉えることが可能となる。しかも小さな礫は、巨礫と比較して大きな衝撃が加わることも無く、これを受け止める上で大きな強度が必要とならないことから、特にこの分枝鋼管３２、４２は細径で構成されていても問題はない。また、この分枝鋼管３２、４２を特に細径で構成することにより製造コスト、材料コストを下げることができ、しかも互いに川幅方向に隣接する鋼管ユニット１５から分枝延長されてくる分枝鋼管３２を互いに離間させて構成していることから、これらの接合に伴う施工工程を省略することができ、施工コスト全体を低減させることが可能となる。また、これら分枝鋼管３２を互いに離間させていることにより、鋼管ユニット１５を交換する際の作業量を減らすこともできる。特に本発明においては、この分枝鋼管３２、４２の径を２００ｍｍで構成しているが、これに限定されるものではなく、鉛直鋼管３１、４１の直径の１／２〜３／４程度で構成されていればよい。あまりに、この分枝鋼管３２、４２が太すぎると、重量が重くなり施工、搬送作業を阻害する原因にもなり、また工場で製作する際において鉛直鋼管３１、４１への溶接しろが大きくなってしまうという欠点も出てくるためである。
【００３６】
更に、この構成スリットダム１は、立体構造ではなく、あくまで平面構造であるため、受け止められた礫や土砂がたまった際に、これを簡単に除去することができる。さらに、本発明を適用した構成スリットダム１は、各ユニットを組み立てて構成可能であることから、場合によってはこれを分解して土砂を取り除くことも可能となる。
【００３７】
なお、本発明を適用した鋼製スリットダム１は、上述した実施の形態に限定されるものではなく、例えば図３に示すような形態にも適用可能である。
【００３８】
この図３に示す鋼製スリットダム１において、上述した図１に示す形態と同一の構成要素、部材に関しては、同一の符号を付すことにより、以下での説明を省略する。
【００３９】
この図３に示す形態では、略十字状の鋼管ユニット１５、１６の代替として、鋼管ユニット１８、１９を適用している。鋼管ユニット１８、１９は、川幅方向へ向けて細かいピッチで配置されている。また、鋼管ユニット１８、１９にはそれぞれ分枝鋼管３２、４２が複数段に亘り設けられている。このため、この図３に示す形態では、鋼管で構成される格子の目の面積をより小さくすることができ、特に小さな礫や流木をも下流へ逃すことなく受け止めることが可能となる。このように、本発明を適用した鋼製スリットダム１では、鋼管ユニット１８、１９における川幅方向への配置間隔と、分子鋼管３２、４２の上下方向の間隔を調整することにより、鋼管で構成される格子の目の面積を自在に調整することが可能となる。このため、この鋼製スリットダム１を配設する河川１０において流れる礫や流木の大きさを予め調査し、これに基づいて鋼管で構成される格子の目の面積を最適化した設計を行うことも可能となる。
【００４０】
また、上述した例では、あくまで工場でそれぞれ製作されたユニットを組み合わせることにより一つの鋼製スリットダム１を施工する場合を例にとり説明をしたが、これに限定されるものではない。例えば、この鋼製スリットダム１は、組立分解不能な、完全に一体化された構成とされていてもよい。かかる場合には、主として鉛直鋼管３１、４１から構成される鋼管支柱と、この鋼管支柱から上下に間隔をおいて川幅方向へ分枝延長され、鋼管支柱並びに鋼管梁１３、１４よりも細径化された分枝鋼管３２、４２と、鋼管梁１３、１４とが互いに組立分解不能な一体化された支柱として構成されていることになる。また、このうち、一部のみが組立分解可能とされていてもよいことは勿論である。
【００４１】
なお、本発明を適用した鋼製スリットダム１は、上述した実施の形態に限定されるものではなく、例えば図４に示すように袖部２間において中間部構造物５が形成されている場合においても、袖部２と中間部構造物５との間にそれぞれ鋼製スリットダム１を設けるようにしてもよい。また、中間部構造物５が複数個所に亘って設けられている場合には、さらに中間部構造物５間において鋼製スリットダム１が設けられていてもよいことは勿論である。
【００４２】
また、袖部２は、コンクリート製である場合を想定しているが、これに限定されるものではなく、鋼製枠に土砂やソイルセメントを入れた土木構造物として具体化されるものであってもよい。
【実施例１】
【００４３】
図５(a),(b)は、本発明を適用した鋼製スリットダム１の他の実施例を示している。この実施例において、上述した図１に示す形態と同一の構成要素、部材に関しては、同一の符号を付すことにより、以下での説明を省略する。
【００４４】
この図５(a),(b)に示す形態においては、鋼管梁１３から下流側へ向けて延長された接ぎ鋼管５３と、接ぎ材５３に接続され、袖部２間に川幅方向へ向けて架設される補強鋼管梁５２とを更に備えている。この補強鋼管梁５２は、袖部２に埋め込まれた埋設鋼管５１に接合されてなる。
【００４５】
このように構成することにより、特に巨礫が河川１０において流れ込んできたときには、これが鋼管梁１３に衝突することにより大きな衝撃力が加わることになる。しかし、鋼管梁１３には接ぎ材５３に接続された補強鋼管梁５２が連結されて、これを補強する構成としているため、たとえ予期し得ない程の大さからなる巨礫が衝突してもこれを受け止めることができ、また鋼管梁１３を含めた鋼製スリットダム１の破損を防止することができる。また、このような巨礫は、河川１０における水面近くを流れてくるものであることから、特に接ぎ鋼管５３並びに補強鋼管梁５２を、上段のみに形成しておくことにより、巨礫を受け止めることが可能となるとともに、必要最小限の補強鋼管梁５２のみで構成可能とすることにより、製造コストを抑えることが可能となる。
【実施例２】
【００４６】
図６(a),(b)は、本発明を適用した鋼製スリットダム１の他の実施例を示している。この実施例において、上述した図１に示す形態と同一の構成要素、部材に関しては、同一の符号を付すことにより、以下での説明を省略する。
【００４７】
この図６(a),(b)に示す形態においては、鋼管梁１３から下流側へ向けて延長された接ぎ鋼管５３と、接ぎ材５３に接続され、袖部２間に川幅方向へ向けて架設される補強鋼管梁５２とを更に備えている。この補強鋼管梁５２は、袖部２に埋め込まれた埋設鋼管５１に接合されてなる。また、この接ぎ鋼管５３と、補強鋼管梁５２とは、さらに鋼管梁１３の下段に位置する鋼管梁１４にも同様に接続されている。
【００４８】
このように構成することにより、鋼管梁１３、１４の何れに対して巨礫が衝突し、大きな衝撃力が加わった場合においても、これに対抗することが可能となり、より強固なスリットダムとすることが可能となる。
【００４９】
なお、上述した実施例１、２において、鋼管ユニット１５の間隔、分枝鋼管３２、４２の上下間隔はいかなる長さで構成してもよいことは勿論である。
【図面の簡単な説明】
【００５０】
【図１】本発明を適用した鋼製スリットダムの斜視図である。
【図２】本発明を適用した鋼製スリットダムの正面図である。
【図３】本発明を適用した鋼製スリットダムにおいて鋼管で構成される格子の目を細かくした例を示す図である。
【図４】袖部間において中間部構造物が形成されている場合において、鋼製スリットダム１を設けた構成を示す図である。
【図５】本発明を適用した鋼製スリットダムの他の実施例を示す図である。
【図６】本発明を適用した鋼製スリットダムの更なる他の実施例を示す図である。
【符号の説明】
【００５１】
１  鋼製スリットダム
２  袖部
３  コンクリート基礎
１０  河川
１１  第１の埋設鋼管
１２  第２の埋設鋼管
１３、１４  鋼管梁
１５、１６  鋼管ユニット
２５、３１、３５、３７、４１  鉛直鋼管
３２、４２  分枝鋼管
【図１】
2008266981.tif 000003
【図２】
2008266981.tif 000004
【図３】
2008266981.tif 000005
【図４】
2008266981.tif 000006
【図５】
2008266981.tif 000007
【図６】
2008266981.tif 000008